【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
コルゲータと、皺寄せ製品が切断され得る皺寄せシートを形成するために、前記コルゲータに対して複数のシート又はウェブを選択、移動及び支持するための少なくとも供給及びガイドローラとを備えるシート処理設備であって、前記皺寄せシート及び前記製品の少なくとも１つのレイヤは印刷シート又はウェブから形成されるシート処理設備と、
前記シート処理設備を制御するための制御システムと
を備える皺寄せシート処理装置であって、
前記皺寄せシート処理装置は、前記印刷シート又はウェブ及び読み取られる印刷マーカが前記皺寄せシート処理装置又は前記コルゲータを通過するときに、少なくとも１つの印刷シート又はウェブ上に提供される印刷マーカを読み取るために配置される視覚的検査ユニットを更に備え、
前記印刷マーカは、その上に情報を有する印刷情報マーカであり、
前記皺寄せシートは、複数の製品注文に関するものであり、１つの注文の前記製品が異なる詳細を有する以前の注文と比較され、前記異なる詳細は、ａ）異なる形状、ｂ）前記シート又はウェブの少なくとも１つに関する異なる形態又はタイプ、ｃ）異なる数のウェブ、及びｄ）異なる接着剤タイプ、接着剤温度、接着剤厚み又は接着剤場所の１つ以上を含み、
前記制御システムは、前記皺寄せシートから切断される前記製品に対して、前記異なる詳細に関係付けられる情報と、その情報に関係付けられ、前記視覚的検査ユニットによって前記印刷情報マーカから読み取り可能な識別子情報とを少なくとも含むデータルックアップテーブルを更に有し、それによって前記装置は、読み取られた印刷情報マーカに応答して、前記視覚的検査ユニットの下流でどのような製品が製造される必要があるかを識別し、且つ前記製品に対する前記シート処理設備又はコルゲータ用の必要設定を事前に識別することができ、前記シート処理設備又はコルゲータが識別された製品の必要な詳細に適合するように前記制御システムによって適切に制御され得る、皺寄せシート処理装置。
【請求項２】
前記情報マーカがその上に印刷された前記シート又はウェブは前記視覚的検査ユニットを超えて供給され、前記情報マーカにおける情報は読み取られ、前記情報は前記識別された製品の前記必要な詳細に適合するように必要な変化を前記装置に準備させるために前記制御システムによって使用される、請求項１に記載の装置を使用する方法。
【請求項３】
前記シート処理設備は、各レイヤの特性が独立して切り替え可能であるように、前記皺寄せシートの各レイヤに対して接合ユニットを備える、請求項１又は２に記載の装置。
【請求項４】
前記制御システムは、ａ）前記シート又はウェブの供給速度、ｂ）供給されるシート又はウェブの数、及びｃ）１つ以上のシート又はウェブが供給される１つ又は複数のソースロールの少なくとも１つの自動変更を可能にする、請求項１〜３の何れか１項に記載の装置を使用する方法。
【請求項５】
選択的に請求項４に従属する場合に、前記制御システムは、前記製品がそこから切断されるためのデータルックアップテーブルに設定された要件に一致する形態に別の形態から変更するように、材料ストリーム内で前記コルゲータにおいて形成された前記皺寄せシートが変化することを可能にするために変化のタイミングを自動化することができる、請求項１〜３の何れか１項に記載の装置を使用する方法。
【請求項６】
選択的に請求項４又は５の何れか１項に従属する場合に、ルックアップテーブルを参照することで次回の要件変化を記録することに応じて、適切な異なるソースロールが前記シート処理設備の接合ユニットに既に装填されている場合に、前記制御システム及び前記シート処理設備は、前記コルゲータに対する材料入力の変化を達成するように、第１のソースロール及び前記異なるソースロールにおける接合を切り替えるように動作する、請求項１〜３の何れか１項に記載の装置を使用する方法。
【請求項７】
前記シート処理設備は、前記要件変化の記録の１０秒以内に前記接合ユニット内の前記切り替えを動作させるように配置される、請求項６に記載の方法。
【請求項８】
前記要件変化を記録した読み取り情報マーカが１０ｍを超えて前記装置を通って更に移動しない時間までに切り替えが行われるように、前記切り替えは、１０ｍのシート材料の直線的移動距離内で引き起こされる、請求項６に記載の方法。
【請求項９】
選択的に請求項４〜８の何れか１項に従属する場合に、要件変化が記録されると、前記シート処理装置及び前記コルゲータは減速する、請求項１〜３の何れか１項に記載の装置を使用する方法。
【請求項１０】
選択的に請求項４〜９の何れか１項に従属する場合に、前記シート処理設備は、皺の中のレイヤの数の減少又は増加に影響を与え得る、請求項１〜３の何れか１項に記載の装置を使用する方法。
【請求項１１】
制御システムと、
下流処理設備と
を備える皺寄せシート処理装置であって、
前記下流処理設備は、皺寄せシートを移動又は支持するための供給及びガイドローラ並びに前記皺寄せシートから製品を切断するための少なくとも１つの切断装置を少なくとも備え、
前記制御システムは、少なくとも前記切断装置を制御するためのものであり、
前記皺寄せシート処理装置は、前記皺寄せシート及び読み取られる印刷マーカが視覚的検査ユニットを超えて前記皺寄せシート処理装置を通過するときに、前記皺寄せシート上に提供される前記印刷マーカを読み取るために配置される視覚的検査ユニットを更に備え、
前記印刷マーカは、その上に情報を有する印刷情報マーカであり、
前記皺寄せシートは、複数の製品注文に関するものであり、１つの注文の前記製品が異なる詳細を有する以前の注文と比較され、前記異なる詳細は、ａ）異なる形状、及びｂ）その注文の前記製品に使用される少なくとも１つの切断装置のためのカッタ設定に関する異なる形態又はタイプを含み、
前記制御システムは、前記皺寄せシートから切断される前記製品に対して、前記異なる詳細に関係付けられる情報と、その情報に関係付けられ、前記視覚的検査ユニットによって前記印刷情報マーカから読み取り可能な識別子情報とを少なくとも含むデータルックアップテーブルを更に有し、それによって前記装置は、読み取られた印刷情報マーカに応答して、前記視覚的検査ユニットの下流でどのような製品が製造される必要があるかを識別し、且つ前記少なくとも１つの切断装置のために必要とされるカッタ設定を事前に識別することができ、前記少なくとも１つの切断装置は識別された製品に関して必要とされるカッタ要件に適合するように前記制御システムによって適切に制御され得る、皺寄せシート処理装置。
【請求項１２】
前記切断装置は、その一部に対して既定の幅を画定するように、皺寄せシートを縦に切断するための１つ以上の長手方向切断ユニット又はブレードを含み、前記既定の幅は、前記ルックアップテーブルにおいて保持される情報の一部である、請求項１１に記載の装置。
【請求項１３】
前記装置は、積み重ねるための長さを形成するために前記皺寄せシートを既定の長さに切断するように適合される１つ以上のクロスカット装置を含み、前記既定の長さは、前記ルックアップテーブルにおいて保持される情報の一部である、請求項１１又は１２に記載の装置。
【請求項１４】
印刷情報マーカの各々はＱＲコード又はバーコードであり、前記視覚的検査ユニットは、そのための適切な読み取り機を含む、請求項１〜３又は１１〜１３の何れか１項に記載の装置。
【請求項１５】
ルックアップテーブルはリールマップである、請求項１〜３又は１１〜１４の何れか１項に記載の装置。
【請求項１６】
各マーカは、印刷された情報によって一意に識別され、それによって特定の注文内のその位置が確認され得る、請求項１〜３又は１１〜１５の何れか１項に記載の装置。
【請求項１７】
各マーカは、注文番号及びシリアル番号を含む一意の識別子を有する、請求項１〜３又は１１〜１６の何れか１項に記載の装置。
【請求項１８】
マーカは、前記皺寄せシートの不要部分に位置付けられる、請求項１〜３又は１１〜１７の何れか１項に記載の装置。
【請求項１９】
前記皺寄せシートは、最終製品の表面に見えるように、表面の少なくとも１つにおいて印刷画像を備える、請求項１〜３又は１１〜１８の何れか１項に記載の装置。
【請求項２０】
前記印刷画像は、前記印刷情報マーカと重複しない、請求項１９に記載の装置。
【請求項２１】
前記皺寄せシートは、複数の印刷画像と、前記印刷画像の各々に対して関連する一意の印刷情報マーカとを含む、請求項１〜３又は１１〜２０の何れか１項に記載の装置。
【請求項２２】
前記印刷画像は、少なくとも２つの異なる製品注文のための画像を表す、請求項１９〜２１の何れか１項に記載の装置。
【請求項２３】
前記２つの異なる製品注文は、前記皺寄せシートの長さに沿って長手方向に順番に配置される、請求項２２に記載の装置。
【請求項２４】
別個の注文の画像は、幾分かより間隔が空けられており、同じ注文内の画像間の任意の間隔に対して隣接する、請求項２３に記載の装置。
【請求項２５】
前記シート上の一部の注文は、印刷画像を含まず、印刷情報マーカのみを含む、請求項１〜３又は１１〜２４の何れか１項に記載の装置。
【請求項２６】
印刷画像の一部のみが、関連する一意の印刷情報マーカを有する、請求項１〜３又は１１〜２５の何れか１項に記載の装置。
【請求項２７】
前記画像の少なくとも１５％が、関連する一意の印刷情報マーカを有する、請求項２６に記載の装置。
【請求項２８】
前記印刷画像の少なくとも２５％が、隣接する又は一致する印刷情報マーカに関係付けられる、請求項２７に記載の装置。
【請求項２９】
全ての印刷画像が、隣接する又は一致する印刷情報マーカに関係付けられる、請求項１〜３又は１１〜２５の何れか１項に記載の装置。
【請求項３０】
前記印刷情報マーカは、前記皺寄せシートの又は前記皺寄せシートのためのレイヤ上に結合するためにカバーシート上に提供される、請求項１〜３又は１１〜２９の何れか１項に記載の装置。
【請求項３１】
前記装置は、前記シートの表面を印刷するように適合されるデジタルプリンタを備える、請求項１〜３又は１１〜３０の何れか１項に記載の装置。
【請求項３２】
前記印刷情報マーカ、及び提供される場合、印刷画像は、ウェブ上に事前印刷され、後で前記皺寄せシート処理装置に供給するためにロール上に巻き戻される、請求項１〜３又は１１〜３１の何れか１項に記載の装置。
【請求項３３】
１つより多くの異なる切断を提供するために１つより多くの切断ブレードを備える、請求項１〜３又は１１〜３２の何れか１項に記載の装置。
【請求項３４】
２つ以上の別個のラインに前記皺寄せシートを縦に切断するための１つ以上の長手方向切断ユニット又はブレードを備える、請求項１〜３又は１１〜３３の何れか１項に記載の装置。
【請求項３５】
その一部に対して既定の幅を画定するように、皺寄せシートを縦に切断するための１つ以上の長手方向切断ユニット又はブレードを備える、請求項１〜３又は１１〜３４の何れか１項に記載の装置。
【請求項３６】
前記既定の幅は、ルックアップテーブルにおいて保持される情報の一部である、請求項３５に記載の装置。
【請求項３７】
前記皺寄せシートを横断して少なくとも部分を切断するために１つ以上のクロスカット切断ユニット又はブレードを備える、請求項１〜３又は１１〜３６の何れか１項に記載の装置。
【請求項３８】
積み重ねるための長さを形成するために前記皺寄せシートを既定の長さに切断するように適合される１つ以上のクロスカット装置を備える、請求項１〜３又は１１〜３７の何れか１項に記載の装置。
【請求項３９】
前記既定の長さは、ルックアップテーブルにおいて保持される情報の一部である、請求項３８に記載の装置。
【請求項４０】
前記皺寄せシートは、前記装置によって切断される前に少なくとも２ｍの幅を有する、請求項１〜３又は１１〜３９の何れか１項に記載の装置。
【請求項４１】
請求項１１に従属する場合、前記皺寄せシートは前記装置の所定の部分からのみ皺寄せされ、その上流のコルゲータが皺を形成し、前記コルゲータの上流で前記シートは複数の異なるウェブである、請求項１１〜４０の何れか１項に記載の装置。
【請求項４２】
前記皺寄せシートは、毎分１００メートルを超えるピーク速度で前記装置を通って移動するように配置される、請求項１〜３又は１１〜４１の何れか１項に記載の装置。
【請求項４３】
前記皺寄せシートはカード又は紙から作られる、請求項１〜３又は１１〜４２の何れか１項に記載の装置。
【請求項４４】
前記制御システムは、供給ローラを制御する、請求項１〜３又は１２〜４３の何れか１項に記載の装置を使用する方法。
【請求項４５】
変化の必要性が識別されると、前記制御システムは、ウェブ又はシートの関連部分が切断装置に接近するときに、供給ローラ又は前記装置が全体として、動作の速度を低下させるように配置される、請求項１〜３又は１１〜４３の何れか１項に記載の装置を使用する方法。
【請求項４６】
ルックアップテーブルは、前記シート上に提示された注文における製品の数も記録する、請求項１〜３又は１１〜４３の何れか１項に記載の装置を使用する方法。
【請求項４７】
皺寄せ製品が切断され得る皺寄せシートを形成するために、コルゲータに対して複数のシート又はウェブを選択、移動及び支持するための少なくとも更なる供給及びガイドローラを備えるシート処理設備であって、前記皺寄せシート及び前記製品の少なくとも１つのレイヤは印刷シート又はウェブから形成されるシート処理設備と、
前記シート処理設備を制御するための更なる又は同じ制御システムと、
前記印刷シート又はウェブ及び読み取られる印刷情報マーカが更なる視覚的検査ユニットを超えて前記皺寄せシート処理装置を通過するときに、前記皺寄せシートを形成するために少なくとも１つの印刷シート又はウェブ上に提供される印刷情報マーカを読み取るために配置される更なる視覚的検査ユニットと
を更に備えるコルゲータのための装置であって、
前記データルックアップテーブルは、前記皺寄せシートから切断される前記製品に対して、前記製品に関する前記皺寄せシートに使用される前記シート又はウェブの少なくとも１つの形態又はタイプに関係付けられる追加情報と、その情報に関係付けられ、製品の各形態に対して、前記更なる視覚的検査ユニットによって前記印刷情報マーカから読み取り可能な対応する印刷情報マーカにおける印刷情報に対応する固有の識別子情報とを少なくとも追加的に含み、それによって印刷情報マーカにおける前記印刷情報は、前記シートから製品を切断するために前記前記皺寄せシートに使用される前記シート又はウェブの少なくとも１つの前記形態又はタイプに関する関連情報が、前記データルックアップテーブルからアクセスされることを可能にし、前記装置は、前記更なる視覚的検査ユニットの下流でどのような製品が製造されるか、及び読み取られた印刷情報マーカから前記製品に対する前記シート処理設備又はコルゲータ用の必要設定を識別することができ、前記シート処理設備又はコルゲータは、前記更なる視覚的検査ユニットにおいて前記読み取られた印刷情報マーカに応答して前記更なる又は同じ制御システムによって適切に制御され得る、請求項１１に記載の装置。